(57)【要約】【課題】引き上げ式カ−テンのカ−テン本体の側部分にしわが発生するのを効果的に防止し得るクリップ型しわ防止具を提供する。【解決手段】引き上げ式カ−テンを構成するカ−テン本体２の側部分９に取着されるクリップ型しわ防止具である。表裏対向する第１の挾持片１０と第２の挾持片１１との間に、カ−テン本体２の側部分９を挿入させる保持溝１２を有する。カ−テン本体２の裏面３に当接される第２の挾持片１１は、カ−テン本体２の裏面側でカ−テン幅方向に延長し且つカ−テン本体２に保持される支持バ−１５の外端側部分１６に連結される。【選択図】図１
2016135188.tif 000002
【特許請求の範囲】
【請求項１】
カ−テン本体の裏面側に配設された昇降コ−ドの昇降操作によって、ひだ状折り返し部が積み重なる状態で引き上げ可能となされた引き上げ式カ−テンの該カ−テン本体の側部分に取着される引き上げ式カーテン用のクリップ型しわ防止具であって、
表裏対向する第１の挾持片と第２の挾持片との間に、前記カ−テン本体の側部分を該カ−テン本体の幅方向に挿入させ得る保持溝が設けられており、
前記カ−テン本体の裏面に当接される前記第２の挾持片は、該カ−テン本体の裏面側で前記幅方向に延長し且つ該カ−テン本体に保持される支持バ−の外端側部分に連結されることを特徴とする引き上げ式カーテン用のクリップ型しわ防止具。
【請求項２】
前記カ−テン本体の裏面側に配置される前記第２の挾持片は、前記カ−テン本体の前記幅方向で見た内方側の端部で開放された挿入孔を有する筒体として構成されており、該挿入孔に前記支持バ−の外端側部分を圧入させることによって、前記第２の挾持片が前記支持バーの外端側部分に連結されることを特徴とする請求項１記載の引き上げ式カーテン用のクリップ型しわ防止具。
【請求項３】
前記筒体は、前記カ−テン本体の裏面に当接し得る平坦面を有することを特徴とする請求項１又は２記載の引き上げ式カーテン用のクリップ型しわ防止具。
【請求項４】
前記第２の挟持片の、前記カーテン本体の幅方向で見た内方側に、前記カ−テン本体の側部分に設けられた折り返し部の先端に形成されている折り返し段部と当接して該側部分が前記保持溝から抜け出るのを抑制する係合突部を具えることを特徴とする請求項１記載の引き上げ式カーテン用のクリップ型しわ防止具。
【請求項５】
前記係合突部と前記第１の挟持片の先端との間に間隙が形成されており、前記第１の挾持片が前記折り返し部を前記第２の挾持片に向けて押圧したときに前記折り返し段部に前記係合突部の先端の係合面が当接し得るように、前記係合突部と前記第１の挾持片の先端との間の距離が設定されていることを特徴とする請求項４記載の引き上げ式カーテン用のクリップ型しわ防止具。
【請求項６】
前記係合面に、前記折り返し段部に食い込み得る針状片が突設されていることを特徴とする請求項４又は５記載の引き上げ式カーテン用のクリップ型しわ防止具。
【請求項７】
前記第１の挾持片及び／又は前記第２の挾持片に、その長さ方向に延長し且つ前記側部分を押圧し得る突条としての押圧突条が突設されていることを特徴とする請求項１記載の引き上げ式カーテン用のクリップ型しわ防止具。
【請求項８】
カ−テン本体の裏面側に配設された昇降コ−ドの昇降操作によって、ひだ状折り返し部が積み重なる状態で引き上げ可能となされた引き上げ式カ−テンの該カ−テン本体の側部分の表面に取着される引き上げ式カーテン用のクリップ型しわ防止具に支持バーが突設されてなり、
該引き上げ式カーテン用のクリップ型しわ防止具は、表裏対向する第１の挾持片と第２の挾持片との間に、前記カ−テン本体の側部分を該カ−テン本体の幅方向に挿入させ得る保持溝が設けられており、
前記カ−テン本体の裏面に当接される前記第２の挾持片に、該カ−テン本体の裏面側で前記幅方向に延長し且つ該カ−テン本体に保持される前記支持バ−が突設されていることを特徴とする引き上げ式カーテン用のクリップ型しわ防止装置。
【請求項９】
前記第２の挟持片の、前記カーテン本体の幅方向で見た内方側に、前記カ−テン本体の側部分に設けられた折り返し部の先端に形成されている折り返し段部と当接して該側部分が前記保持溝から抜け出るのを抑制する係合突部を具えることを特徴とする請求項８記載の引き上げ式カーテン用のクリップ型しわ防止装置。
【請求項１０】
前記係合突部と前記第１の挟持片の先端との間に間隙が形成されており、前記第１の挾持片が前記折り返し部を前記第２の挾持片に向けて押圧したときに前記折り返し段部に前記係合突部の先端の係合面が当接し得るように、前記係合突部と前記第１の挾持片の先端との間の距離が設定されていることを特徴とする請求項９記載の引き上げ式カーテン用のクリップ型しわ防止装置。
【請求項１１】
前記係合面に、前記折り返し段部に食い込み得る針状片が突設されていることを特徴とする請求項９又は１０記載の引き上げ式カーテン用のクリップ型しわ防止装置。
【請求項１２】
前記第１の挾持片及び／又は前記第２の挾持片に、その長さ方向に延長し且つ前記側部分の表面を押圧し得る突条としての押圧突条が突設されていることを特徴とする請求項８記載の引き上げ式カーテン用のクリップ型しわ防止装置。
【請求項１３】
前記カ−テン本体の裏面側に配置される前記第２の挾持片は、前記カ−テン本体の前記幅方向の内方側の端部で開放された挿入孔を有する筒体として構成されており、該挿入孔に、前記支持バ−の外端側部分が圧入されていることを特徴とする請求項８記載の引き上げ式カーテン用のクリップ型しわ防止装置。
【請求項１４】
前記筒体は、前記カ−テン本体の裏面に当接し得る平坦面を有することを特徴とする請求項８記載の引き上げ式カーテン用のクリップ型しわ防止装置。
【請求項１５】
請求項８〜１４に記載の引き上げ式カーテン用のクリップ型しわ防止装置の何れかの前記保持溝に、前記カーテン本体の側部分が該カーテン本体の幅方向に挿入されており、且つ、前記支持バーが前記カーテン本体の裏面側で前記幅方向に延長され該支持バーが該カーテン本体に保持されていることを特徴とするしわ防止機能を有する引き上げ式カーテン。
【発明の詳細な説明】
【技術分野】
【０００１】
本発明は、引き上げ式カ−テン用のクリップ型しわ防止具に関するものであり、引き上げ式カ−テン用のクリップ型しわ防止装置に関するものであり、又、しわ防止機能を有する引き上げ式カーテンに関するものである。
【０００２】
より詳しくは、カ−テン本体の裏面側に配設された昇降コ−ドの昇降操作によって、ひだ状折り返し部が積み重なる状態で引き上げ可能となされた引き上げ式カ−テンの該カ−テン本体に取着されることにより、カ−テン本体の引き上げの際にその側部分にしわが発生するのを防止し得る引き上げ式カ−テン用のクリップ型しわ防止具に関するものである。又、該カ−テン本体に取着されることにより、カ−テン本体の引き上げの際にその側部分にしわが発生するのを防止し得る引き上げ式カ−テン用のクリップ型しわ防止装置に関するものである。又、カーテン本体の側部分にしわが発生するのを防止し得るしわ防止機能を有する引き上げ式カーテンに関するものである。
【背景技術】
【０００３】
カ−テン本体の裏面側に配設された昇降コ−ドの昇降操作によってひだ状折り返し部が積み重なる状態で引き上げ可能となされた引き上げ式カ−テンの一例として、本出願人は特許文献１に係る引き上げ式カ−テンを提供した。該引き上げ式カ−テンａは、図２２に示すように、カ−テン本体ｂの裏面側ｃに配設された昇降コ−ドｄの昇降操作によって、ひだ状折り返し部ｅが積み重なる状態で引き上げ可能となされていた。
【０００４】
この種の引き上げ式カ−テンａにあっては、カ−テン本体ｂを引き上げる際の振動で、該カ−テン本体ｂの側部分ｆが屈曲して例えば図２３に示すようなしわｇが発生し、該側部分ｆが見栄えよく折り返されずカーテンの外観を損なう問題があった。
【先行技術文献】
【特許文献】
【０００５】
【特許文献１】特開２００５−３３４号公報
【発明の概要】
【発明が解決しようとする課題】
【０００６】
本発明は、前記従来の問題点に鑑みて開発されたものであり、昇降コ−ドの昇降操作によってカ−テン本体を引き上げ操作する際に該カ−テン本体の側部分にしわが発生するのを効果的に防止でき、又、カ−テン本体に対する取着も簡易に行い得る引き上げ式カ−テン用のクリップ型しわ防止具、引き上げ式カ−テン用のクリップ型しわ防止装置の提供を課題とするものである。更に、カーテン本体の側部分にしわが発生するのを防止し得るしわ防止機能を有する引き上げ式カーテンの提供を課題とするものである。
【課題を解決するための手段】
【０００７】
前記課題を解決するため、本発明は以下の手段を採用する。
即ち本発明に係る引き上げ式カ−テン用のクリップ型しわ防止具（以下、クリップ型しわ防止具という）は、カ−テン本体の裏面側に配設された昇降コ−ドの昇降操作によって、ひだ状折り返し部が積み重なる状態で引き上げ可能となされた引き上げ式カ−テンの該カ−テン本体の側部分に取着されるクリップ型しわ防止具であって、表裏対向する第１の挾持片と第２の挾持片との間に、前記カ−テン本体の側部分を該カ−テン本体の幅方向に挿入させ得る保持溝が設けられており、前記カ−テン本体の裏面に当接される前記第２の挾持片は、該カ−テン本体の裏面側で前記幅方向に延長し且つ該カ−テン本体に保持される支持バ−の外端側部分に連結されることを特徴とするものである。
【０００８】
前記クリップ型しわ防止具において、前記カ−テン本体の裏面側に配置される前記第２の挾持片は、前記カ−テン本体の前記幅方向で見た内方側の端部で開放された挿入孔を有する筒体として構成し、該挿入孔に前記支持バ−の外端側部分を圧入させることによって、前記第２の挾持片が前記支持バーの外端側部分に連結されるように構成するのがよい。該筒体は、前記カ−テン本体の裏面に当接し得る平坦面を有する如く構成するのがよい。
【０００９】
本発明に係るクリップ型しわ防止具は、前記第２の挟持片の、前記カーテン本体の幅方向で見た内方側に、前記カ−テン本体の側部分に設けられた折り返し部の先端に形成されている折り返し段部と当接して該側部分が前記保持溝から抜け出るのを抑制する係合突部を具える如く構成するのがよい。
【００１０】
この場合、前記係合突部と前記第１の挟持片の先端との間に間隙を形成し、前記第１の挾持片が前記折り返し部を前記第２の挾持片に向けて押圧したときに前記折り返し段部に前記係合突部の先端の係合面が当接し得るように、前記係合突部と前記第１の挾持片の先端との間の距離を設定するのがよい。
【００１１】
これらのクリップ型しわ防止具において、前記係合面に、前記折り返し段部に食い込み得る針状片を突設するのがよい。
【００１２】
本発明に係るクリップ型しわ防止具は、前記第１の挾持片及び／又は前記第２の挾持片に、その長さ方向に延長し且つ前記側部分の表面を押圧し得る突条としての押圧突条が突設されたものとして構成するのがよい。
【００１３】
本発明に係る引き上げ式カーテン用のクリップ型しわ防止装置（以下、クリップ型しわ防止装置という）は、カ−テン本体の裏面側に配設された昇降コ−ドの昇降操作によって、ひだ状折り返し部が積み重なる状態で引き上げ可能となされた引き上げ式カ−テンの該カ−テン本体の側部分に取着される引き上げ式カーテン用のクリップ型しわ防止具に支持バーが突設されてなり、該クリップ型しわ防止具は、表裏対向する第１の挾持片と第２の挾持片との間に、前記カ−テン本体の側部分を該カ−テン本体の幅方向に挿入させ得る保持溝が設けられており、前記カ−テン本体の裏面に当接される前記第２の挾持片に、該カ−テン本体の裏面側で前記幅方向に延長し且つ該カ−テン本体に保持される前記支持バ−が突設されていることを特徴とするものである。
【００１４】
前記クリップ型しわ防止装置において、前記第２の挟持片の、前記カーテン本体の幅方向で見た内方側に、前記カ−テン本体の側部分に設けられた折り返し部の先端に形成されている折り返し段部と当接して該側部分が前記保持溝から抜け出るのを抑制する係合突部を具えたものとするのがよい。
【００１５】
この場合、前記係合突部と前記第１の挟持片の先端との間に間隙を形成し、前記第１の挾持片が前記折り返し部を前記第２の挾持片に向けて押圧したときに前記折り返し段部に前記係合突部の先端の係合面が当接し得るように、前記係合突部と前記第１の挾持片の先端との間の距離を設定するのがよい。
【００１６】
これらのクリップ型しわ防止装置において、前記係合面に、前記折り返し段部に食い込み得る針状片を突設するのがよい。
【００１７】
本発明に係るクリップ型しわ防止装置は、前記第１の挾持片及び／又は前記第２の挾持片に、その長さ方向に延長し且つ前記側部分の表面を押圧し得る突条としての押圧突条が突設されたものとして構成するのがよい。
【００１８】
本発明に係るクリップ型しわ防止装置は、前記カ−テン本体の裏面側に配置される前記第２の挾持片を、前記カ−テン本体の前記幅方向の内方側の端部で開放された挿入孔を有する筒体として構成し、該挿入孔に、前記支持バ−の外端側部分が圧入されたものとして構成するのがよい。
【００１９】
本発明に係るクリップ型しわ防止装置は、前記筒体が、前記カ−テン本体の裏面に当接し得る平坦面を有する如く構成するのがよい。
【００２０】
本発明に係るしわ防止機能を有する引き上げ式カーテンは、前記何れかのクリップ型しわ防止装置を用いて構成されており、前記保持溝に前記カーテン本体の側部分が該カーテン本体の幅方向に挿入されており、且つ、前記支持バーが前記カーテン本体の裏面側で前記幅方向に延長され該支持バーが該カーテン本体に保持されていることを特徴とするものである。
【発明の効果】
【００２１】
本発明は以下の如き優れた効果を奏する。
(1) 本発明に係るクリップ型しわ防止具は、表裏対向する第１、第２の挾持片間に形成される保持溝にカ−テン本体の側部分を挿入させると共に、該第２の挾持片は、該カ−テン本体の裏面側でその幅方向に延長し且つ該カ−テン本体に保持される支持バ−の外端側部分に連結される構成を採用する。又、本発明に係るクリップ型しわ防止装置は、表裏対向する第１、第２の挾持片間に形成される保持溝にカ−テン本体の側部分を挿入させると共に、該第２の挾持片に、該カ−テン本体の裏面側で前記幅方向に延長し且つ該カ−テン本体に保持される支持バ−が突設されてなる構成を採用する。又、本発明に係るしわ防止機能を有する引き上げ式カーテンは、前記クリップ型しわ防止装置を前記カーテン本体の側部分に取着した構成を採用する。
【００２２】
かかることから、昇降コ−ドの昇降操作によって引き上げ式カ−テンを引き上げ操作する際にその引き上げ時の振動でカ−テン本体の側部分にしわが発生する事態となったとき、該側部分のしわ発生部分に前記クリップ型しわ防止具と前記支持バ−を後付けすることにより、その部分におけるしわ発生を効果的に防止できる。そして、引き上げ式カ−テンの出荷の際に、しわ発生が予測される部分にこれらを取着しておけば、しわが発生しにくい引き上げ式カーテンを提供できることとなる。
【００２３】
これによって該カ−テン本体を、ひだ状折り返し部が正しく積み重なる状態で見栄えよく引き上げることができる。
【００２４】
又、本発明に係るクリップ型しわ防止具のカ−テン本体に対する取着は、前記保持溝に前記側部分を挿入させるだけで済むため、該取着を簡易に行うことができる。
【００２５】
(2) 前記クリップ型しわ防止具を構成する第２の挟持片や前記クリップ型しわ防止装置を構成する前記第２の挾持片を、カ−テン本体の前記幅方向の内方側の端部で開放された挿入孔を有する筒体を以て構成する場合は、前記支持バ−の外端側部分を該挿入孔に圧入させることにより、前記支持バ−の外端側部分を前記第２の挾持片に容易に連結できて好ましい。
【００２６】
特に前記筒体が、前記カ−テン本体の裏面に当接し得る平坦面を有する如く構成する場合は、該平坦面を前記カ−テン本体の側部分の裏面に面接触させることができ、該側部分に対するクリップ型しわ防止具の取着状態をより安定化させ得る。
【００２７】
(3) 前記第２の挾持片に、前記カ−テン本体の側部分に設けられた折り返し部の先端に形成されている折り返し段部と当接して該側部分が前記保持溝から抜け出るのを抑制する係合突部を設ける場合は、クリップ型しわ防止具が前記カ−テン本体の幅方向の外方に移動するのを該係合突部と該折り返し段部との当接によって効果的に抑制できる。
【００２８】
特に前記係合突部と前記第１の挾持片の先端との間に間隙を形成し、前記第１の挾持片が前記折り返し部を前記第２の挾持片に向けて押圧したときに前記折り返し段部に前記係合突部の先端の係合面が当接し得るように、前記係合突部と前記第１の挾持片の先端との間の距離を設定するときは、前記第１の挾持片が前記側部分を前記第２の挾持片に向けて押さえる作用によって、前記係合突部の前記係合面を前記折り返し段部に安定的に当接させることができる。そして、前記係合面が前記折り返し段部に当接した状態で前記側部分が前記保持溝に保持されるため、該当接状態が持続される。
【００２９】
このように構成する場合は、前記カ−テン本体を引き上げる際の振動で、前記クリップ型しわ防止具と前記支持バ−の全体が、前記幅方向で見た外方に向けて移動しようとしても、この移動が効果的に阻止され、しわ防止の持続性が向上することになる。
【００３０】
このように構成する場合、前記係合面に針状片を突設するときは、該針状片が前記折り返し段部に食い込むことによって、前記クリップ型しわ防止具の外方への移動が確実に阻止されることとなる。
【００３１】
(4) 前記第１の挾持片及び／又は前記第２の挾持片に、その長さ方向に延長し且つ前記側部分を押圧し得る突条としての押圧突条が突設される場合は、前記側部分を前記保持溝に挿入させた状態で、該押圧突条が該側部分の裏面と表面の双方又は何れか一方に食い込み状態となって摩擦作用が発揮され、これによって、前記クリップ型しわ防止具、前記クリップ型しわ防止装置の前記側部分に対する取着の安定性を向上させることができる。
【００３２】
(5) 前記支持バ−の長さは、カ−テン本体の側部分に発生するしわを防止できるように所要に設定されるものであるが、該支持バ−を前記カ−テン本体の側部分寄りの部分にのみ配置しても所要のしわ防止を図り得る場合は、該支持バーの長さを比較的短く設定できる。そのため、カ−テン本体の幅寸法が異なる場合であっても、同一長さの支持バーを具えるクリップ型しわ防止装置をそのまま用いて、これを、幅寸法が異なるカーテン本体に共通して取着できる利点がある。もしも、該支持バ−がカ−テン本体の幅方向の略全長に亘る長さのものであってその両外端側部分に前記クリップ型しわ防止具が取着される場合は、カ−テン本体の幅に合わせた所要長さの支持バ−を個別に用意する必要があって経済的でない。
【図面の簡単な説明】
【００３３】
【図１】本発明に係るクリップ型しわ防止具と支持バ−との連結体からなるクリップ型しわ防止装置をカ−テン本体の側部分に取着した状態を示す断面図である。
【図２】カ−テン本体２の側部分のしわ発生部分にクリップ型しわ防止装置が取着されてなる引き上げ式カ−テンの裏面側を示す斜視図である。
【図３】その表面側を示す部分斜視図である。
【図４】クリップ型しわ防止装置によってしわが防止されてひだ状折り返し部が積み重なる状態で引き上げられた引き上げ式カ−テンを示す部分斜視図である。
【図５】引き上げ式カ−テンの上側部分を裏面側から見た斜視図である。
【図６】クリップ型しわ防止装置を構成する支持バ−を保持するリング状保持部材と支持バ−保持部材をカ−テン本体の裏面側に取り付けた状態を示す斜視図と、両保持部材のＣ字状保持部に支持バ−を保持させた状態を示す側面図である。
【図７】クリップ型しわ防止具と支持バ−とを示す斜視図と、該クリップ型しわ防止具の内方側の端部形態を示す正面図と、クリップ型しわ防止具の支持バ−挿入孔の内部構成を示す部分断面図である。
【図８】クリップ型しわ防止具を構成する第２の挾持片の挿入孔に支持バ−の外端側部分を圧入した状態と、第１、第２の挾持片間の保持溝にカ−テン本体の側部分を挿入させた状態を示す断面図である。
【図９】クリップ型しわ防止装置をカ−テン本体に取り付ける作業工程と、該クリップ型しわ防止装置をカ−テン本体の側部分に取り付けた状態を示す斜視図である。
【図１０】クリップ型しわ防止具が係合突部を具えてなるクリップ型しわ防止装置を示す斜視図と、これをカ−テン本体の側部分に取り付けた状態を示す断面図である。
【図１１】係合突部に針状片が突設されてなるクリップ型しわ防止具を示す部分斜視図と、その使用状態を示す断面図である。
【図１２】第１、第２の挾持片に押圧突条が設けられたクリップ型しわ防止具を示す斜視図と、該クリップ型しわ防止具の使用状態を示す断面図である。
【図１３】前記押圧突条がカ−テン本体の側部分の裏面と表面に食い込んでいる状態を示す断面図と、この食い込みによるクリップ型しわ防止具の上下方向での傾き防止作用を示す説明図である。
【図１４】前記押圧突条が第１の挾持片のみに或いは第２の挾持片のみに設けられてなるクリップ型しわ防止具の使用状態を示す断面図である。
【図１５】第２の筒体が円筒状を呈するクリップ型しわ防止具を示す斜視図である。
【図１６】カ−テン本体の側部分に押圧される突部が設けられてなるクリップ型しわ防止具をその使用状態で示す断面図である。
【図１７】クリップ型しわ防止装置の他の態様を示す斜視図と、その使用状態を示す説明図である。
【図１８】クリップ型しわ防止装置を構成する支持バ−をカ−テン本体の裏面側に２箇所で保持させた場合を示す説明図である。
【図１９】支持バ−の内端部分に抜け止め部材を固定してなる、クリップ型しわ防止装置の他の使用状態を示す斜視図と正面図である。
【図２０】カ−テン本体の左右の側部分に対向して取り付けられたクリップ型しわ防止具相互を一本の支持バ−で連結した場合を示す断面図と、その部分拡大図と、それを構成するクリップ型しわ防止具と支持バ−の好ましい態様の一例を示す斜視図である。
【図２１】クリップ型しわ防止装置のカ−テン本体に対する取り付け状態の他の態様を示す斜視図である。
【図２２】従来の引き上げ式カ−テンの一例を示す斜視図である。
【図２３】その問題点を説明する説明図である。
【発明を実施するための形態】
【実施例１】
【００３４】
図１〜４において本発明に係るクリップ型しわ防止具１は、例えば透明な合成樹脂で一体に射出成形されており、カ−テン本体２の裏面３側に配設された昇降コ−ド５の昇降操作によって、ひだ状折り返し部６が積み重なる状態で引き上げ可能（図４）となされた引き上げ式カ−テン７の該カ−テン本体２の両側部分９，９又は一方の側部分９に取着されて、該カ−テン本体２の該側部分９にしわが発生するのを効果的に防止するものであり、表裏対向する第１の挾持片１０と第２の挾持片１１との間に、該側部分９を該カ−テン本体２の幅方向Ｆに挿入させ得る保持溝１２が設けられている。又、前記カ−テン本体２の裏面３に当接される前記第２の挾持片１１は、該カ−テン本体２の裏面３側で前記幅方向Ｆに延長し且つ該カ−テン本体２に保持される支持バ−１５の外端側部分１６に連結される如くなされている。そして、該第２の挾持片１１に該支持バ−１５の外端側部分１６が連結されてなる、該クリップ型しわ防止具１と該支持バ−１５との連結体は、クリップ型しわ防止装置１７を構成する。以下、これを具体的に説明する。
【００３５】
前記引き上げ式カ−テン７の一例は図２、図５、図６に示すように、天井側で水平に配置される横支持杆１８に、前記カ−テン本体２の上縁部分１９を取着してなり、該カ−テン本体２の裏面３側にその幅方向Ｆに間隔を置いて（本実施例においてはカ−テン本体２の両側と中間において）上下方向に延びる如く昇降コ−ド５が配置されており、該昇降コ−ド５を昇降操作具２１によって昇降操作することにより、該カ−テン本体２を、図４に示すように、ひだ状折り返し部６が積み重なる状態で引き上げ可能となされている。
【００３６】
該昇降コ−ド５は、図５〜６に示すように、前記カーテン本体２の裏面３側に上下方向に所要間隔で設けられたコード挿通部（実施例においては挿通リング部）２２に挿通されている。本実施例においては図５〜６に示すように、前記カ−テン本体２の裏面３に、その両側部分と中間部分においてリングテープ２３が取着されている。該リングテープ２３は、上下方向に延長するテ−プ基材２５に、その長さ方向に例えば１０〜１５ｃｍ程度の間隔でル−プ部２６が設けられ、該ル−プ部２６にリング状保持部材２７が取着されている。該テ−プ基材２５は前記カーテン本体２の裏面３に縫着されており、前記昇降コ−ド５が、上下方向に並置された前記リング状保持部材２７の前記挿通リング部２２に挿通され、図２に示すように、該昇降コ−ド５の下端部２９が、前記カ−テン本体２の下端側部に取り付け具３０を介して連結されている。
【００３７】
前記リング状保持部材２７は本実施例においては図６（Ａ）（Ｂ）に示すように、前記挿通リング部２２に前記ル−プ部２６に対する取着部３１が設けられ、且つ該挿通リング部２２に、前記支持バ−１５を保持する保持部３２が設けられている。該保持部３２は本実施例においては、該支持バー１５を弾性的に嵌着させるためのＣ字状保持部３２ａとして構成されている。又、上下のリング状保持部材２７，２７間の中央部位に設けられているル−プ部２６には支持バ−保持部材３３が取着されている。該支持バ−保持部材３３は、前記リング状保持部材２７において前記挿通リング部２２が省略された構成のものであり、前記支持バ−１５を保持する保持部３２が設けられている。該保持部３２は本実施例においては、該支持バー１５を弾性的に嵌着させるためのＣ字状保持部３２ａとして構成されている。
【００３８】
前記クリップ型しわ防止具１は、これがカーテン本体２の側部分９に取着された状態で目立ちにくくするために、本実施例においては透明な樹脂製とされている。使用する樹脂としては、所要のバネ性と強度を有し耐候劣化しにくいものを選択する。例えばポリアセタ−ル樹脂を用いることができる。そして前記第２の挾持片１１は、図７〜８に示すように、前記カ−テン本体２の幅方向Ｆで見た内方側の端部３５で開放され且つ該幅方向Ｆに長い有底の挿入孔３６が設けられてなる例えば円筒状の筒体３７として構成されている。そして、該挿入孔３６の内周面３９には、該挿入孔３６の延長方向に長く形成され且つ例えば周方向に等角度で、３本の圧入用突条４０，４０，４０が突設されている。各圧入用突条４０の先端部４１は、開放された前記端部３５から稍内方に控えている。そして各圧入用突条４０の先端面４２のうちの該端部３５寄りの部分４２ａは、該端部３５に向けて前記内周面３９に接近する第１の傾斜面４３として形成される一方、該先端面４２のうちの前記挿入孔３６の底部４５寄りの部分４２ｂは、該底部４５に向けて前記内周面３９から離れる第２の傾斜面４６として形成されている。
【００３９】
かかる挿入孔３６には、図８に示すように、前記支持バ−１５の前記外端側部分１６が圧入されるのであるが、前記第１の傾斜面４３が設けられているために、該外端側部分１６を、該第１の傾斜面４３，４３，４３が形成する、前記端部３５に向けて拡径するガイド孔部４７（図７（Ｃ））に容易に挿入させることができる。この状態で該外端側部分１６を前記底部４５に向けて押し込むのであるが、該外端側部分１６を、前記第２の傾斜面４６ｂ，４６ｂ，４６ｂが形成するテーパ状の圧入孔部４９に無理なく圧入させることができる。この圧入によって、該外端側部分１６が前記挿入孔３６に強固に連結される。
【００４０】
又、図７〜８に示すように、前記筒体３７の前記側部分９に面する側は、該側部分９の裏面（前記カ−テン本体２の裏面）１３に当接し得る平坦面５１に形成されている。そして該筒体３７の、該平坦面５１の前記幅方向Ｆで見た外方側の部分５２と対向する側が、該筒体３７の外方端５３に向うにつれて該平坦面５１に接近するように傾斜する傾斜面部５５として形成され、該筒体３７の外方側の部分５２は、該外方端５３に向けて先細化するように構成されている。そして前記平坦面５１の外方端部位５６において前記第１の挾持片１０が連設されている。このように傾斜面部５５を形成する場合は、前記カーテン本体２を昇降させる際に、前記側部分９の取着されているクリップ型しわ防止具１がガラス面やサッシュ面等に当たりにくくなし得て好ましい。
【００４１】
該第１の挾持片１０は図７（Ａ）に示すように、その幅寸法が前記平坦面５１の幅寸法に略等しく設定されており、該平坦面５１の外方端部位５６で突設された突部５７の先端で、該平坦面５１の内方端部位５９に向けて該平坦面５１に徐々に接近するように傾斜する挾持片本体６０が連設されている。該第１の挾持片１０と前記平坦面５１との間には、前記側部分９を図８（Ａ）に示すように、面接触状態で弾性的に挾持し得る前記保持溝１２が設けられている。
【００４２】
そして図７（Ａ）に示すように、該挟持片本体６０の先端６２に、前記内方端部位５９に向けて突出し且つ前記平坦面５１から徐々に離れるように屈曲する屈曲片６３が連設されている。該屈曲片６３と該平坦面５１との間には、入口６５が拡開した導入部６６が形成されており、前記挾持片本体６０と該平坦面５１との間には、前記内方端部位５９に向けて徐々に拡開する前記保持溝１２が設けられている。
【００４３】
前記支持バ−１５は、本実施例においては３ｍｍ径のガラス繊維製のバ−材を以て構成されており、その外端側の２０ｍｍ程度の長さ部分が前記挿入孔３６に圧入され、これによって、前記第２の挾持片１１に該支持バ−１５の外端側部分１６が連結される。このようにして連結された支持バ−１５と前記クリップ型しわ防止具１との一体化物は、前記クリップ型しわ防止装置１７を構成する。
【００４４】
前記支持バ−１５は図６（Ｂ）（Ｃ）に示すように、前記リング状保持部材２７又は前記支持バ−保持部材３３の前記Ｃ字状保持部３２ａに弾性的に嵌着されることにより、左右方向に移動しにくい状態で保持される。本実施例においては、例えば図１〜２に示すように、該支持バ−１５の内端側部分６７が前記Ｃ字状保持部３２ａから内方に稍突出するように該支持バ−１５の長さが設定されており、この長さは、例えば２５ｍｍに設定している。
【００４５】
図２は、前記ひだ状折り返し部６（図４）が積み重なる状態で前記引き上げ式カ−テン７を引き上げる際に前記側部分９のうちのしわが発生する部位６９に、前記支持バ−１５が設けられてなる前記クリップ型しわ防止具１を取着した状態を示すものである。図２においては、カ−テン本体２を裏側から見て前記ひだ状折り返し部６の谷部分７０（図４）にこれを取着した状態を示している。又図９（Ｂ）においては、カーテン本体２を裏側から見て前記ひだ状折り返し部６の谷部分７０と山部分７１（図４）にこれを取着した状態を示している。
【００４６】
該クリップ型しわ防止具１をカ−テン本体２の前記側部分９に取着するには、図１、図９に示すように、例えば次のように行う。
【００４７】
前記支持バ−１５の外端側部分１６を前記第２の挾持片１１を構成する前記筒体３７の前記挿入孔３６に圧入し、該外端側部分１６を該第２の挾持片１１に固定状態に連結する（図１、図９（Ｂ））。その後、前記側部分９を前記保持溝１２に、前記カ−テン本体２の幅方向Ｆに挿入させるのであるが、この際、前記側部分９の先側部分７２を前記導入口６６( 図７）に挿入させる。この状態で、前記挾持片本体６０（図７、図９（Ａ））を弾性的に拡開させながら該側部分９を前記保持溝１２に順次挿入させる。これにより図１に示すように、前記平坦面５１と前記第１の挾持片１０との間で前記側部分９が略面接触状態で弾性的に挾持され、この弾性挟持状態で、前記平坦面５１と前記挟持片本体６０が、該側部分９の裏面３と表面（前記カ−テン本体２の表面）７３に面接触する。
【００４８】
そしてこの状態で、図６（Ｂ）（Ｃ）に示すように、前記支持バ−１５を、前記リング状保持部材２７のＣ字状保持部３２ａ及び／又は前記支持バー保持部材３３のＣ字状保持部３２ａに弾性的に嵌着させる。これによって、前記クリップ型しわ防止具１と前記支持バ−１５とが前記側部分９の所定高さ位置に取着されることとなる。該取着状態で、前記Ｃ字状保持部３２ａによる弾性保持作用と前記保持溝１２における弾性保持作用によって該クリップ型しわ防止具１と該支持バ−１５とは、前記カーテン本体２の昇降が繰り返されても、略定位置に位置されることとなる。
【００４９】
このようにして前記クリップ型しわ防止具１と前記支持バ−１５とが取着されてなる引き上げ式カ−テン７を昇降操作したときは、前記側部分９のうちの、このように取着された部分が、前記クリップ型しわ防止具１によってカ−テン幅方向（水平方向）Ｆで直線的に保持されると共に、前記支持バ−１５によって、前記カ−テン本体２の該側部分９に連なる内方側部分７５（図１〜２、図９（Ｂ））がカ−テン本体２の幅方向（水平方向）Ｆで直線的に保持されるため、該側部分９の屈曲が防止され、該側部分９にしわが発生するのを効果的に防止できることとなる。
【実施例２】
【００５０】
本発明は、前記実施例で示したものに限定されるものでは決してなく、「特許請求の範囲」の記載内で種々の設計変更が可能であることはいうまでもない。その一例を挙げれば次のようである。
【００５１】
(1) 図１０は、前記筒体３７に設けられている前記平坦面５１の、開放した前記端部３５側に、前記カ−テン本体２の側部分９に設けられた折り返し部（通常２５ｍｍ程度の幅を有し、本実施例においては、折り曲げを２回行っている）７６の先端に形成されている折り返し段部７７と当接して該側部分９が前記保持溝１２から抜け出るのを抑制する係合突部７９を設けた場合を示し、本実施例においては、該折り返し段部７７との当接部８０は、前記平坦面５１の延長方向（前記筒体３７の長さ方向）と直交する係合面８０ａとして形成されている。そしてこの場合、該係合突部７９と前記第１の挟持片１０の先端８１との間に例えば５ｍｍ程度の間隙８２が形成されている。
【００５２】
図１０（Ｂ）は、かかる構成を有するクリップ型しわ防止具１を、その保持溝１２に前記側部分９を挿入させた状態を示すものであり、前記第１の挾持片１０が前記側部分９を前記平坦面５１に向けて押さえる作用によって（図１０（Ｂ）においては、前記挟持片本体６０の先端６２が前記側部分９を押さえている）、前記係合突部７９の前記係合面８０ａが前記折り返し段部７７に確実に当接することとなる。これによって、クリップ型しわ防止具１が外方に移動するのを効果的に抑制できることとなる。そして、前記係合面８０ａが前記折り返し段部７７に当接した状態で前記側部分９が前記保持溝１２に保持されるため、該当接状態が持続される。このように構成する場合は、前記カーテン本体２を引き上げる際の振動で、前記クリップ型しわ防止具１と前記支持バ−１５の全体が、前記幅方向Ｆで見た外方Ｆ１に向けて移動しようとしても、この移動が効果的に阻止され、しわ防止の持続性が向上することになる。
【００５３】
この場合、例えば図１１に示すように、前記係合面８０ａで針状片（例えば３ｍｍ程度の突出長さを有する）８３を突設するときは、該針状片８３が図１１（Ｂ）に示すように、該折り返し段部７７に食い込むことによって、前記クリップ型しわ防止具１の外方Ｆ１への移動が確実に阻止されることとなる。
【００５４】
(2) 図１２は、前記筒体３７に設けられている前記平坦面５１と前記挾持片本体６０の平滑な内面（前記平坦面５１に向き合う面）８５に押圧突条８６が設けられた場合を示している。該押圧突条８６は、１本乃至複数本に設定される。図１２（Ａ）（Ｂ）においては、該平坦面５１と該平滑な内面８５の夫々の両側に位置させて、２本の押圧突条８６，８６が設けられている。このように構成するときは、図１２（Ｃ）、図１３（Ａ）に示すように、前記側部分９を前記保持溝１２に挿入させた状態で、該押圧突条８６が前記側部分９の裏面３と表面７３に食い込み状態となって摩擦作用が発揮される。これにより、カ−テン本体２の昇降動作時の振動によって前記クリップ型しわ防止具１が例えば図１３（Ｂ）に示すような斜め上方向や斜め下方向に傾き難くなし得て好ましい。これによって、前記クリップ型しわ防止具１の前記側部分９に対する取着の安定性を向上させることができる。
【００５５】
前記押圧突条８６は、図１４（Ａ）（Ｂ）に示すように、平坦面５１、前記内面８５の何れか一方にのみ設けられることもある。又該押圧突条８６は、該平坦面５１，前記内面８５の幅方向の例えば中央部に１本設けられてもよく、必要に応じ所要間隔で３本以上設けられてもよい。このように押圧突条８６を設ける場合、前記側部分９の表面に対する摩擦力を高めるため、該押圧突条８６の頂部分８７（図１２）に、ギザギザ状を呈する等の適宜の凹凸を設けてもよい。
【００５６】
(3) 前記実施例においては、前記筒体３７に、前記カーテン本体２の側部分９の裏面３に当接し得る平坦面５１を形成しているが、前記第１、第２の挾持片１０，１１との間に形成される保持溝１２で前記側部分９を所要に挿入させて保持できる限り、例えば図１５に示すように、該筒体３７の外周面８９の全体が円形面として形成されてもよい。
【００５７】
(4) 前記第２の挾持片１１は前記実施例においては筒体３７として構成しているが、該筒体３７は必ずしも円筒状に構成される必要はない。又、該第２の挟持片１１と該支持バ−１５の外端側部分１６の連結は、該第２の挾持片１１を板状に構成し、その裏面側で、該外端側部分１６を、弾性的な嵌着状態としたり弾性的な挾持状態としたり或いは圧入状態等として行なってもよい。
【００５８】
(5) 例えば図１６に示すように、前記第１、第２の挾持片１０，１１の前記対向する面５１，８５の双方又は何れか一方に、前記保持溝１２に挿入状態にある前記側部分９に押圧される突部９０が設けられることがある。図１６においては、前記第１、第２の挾持片１０，１１の双方に位置をずらして突部９０，９０が設けられているが、該突部９０は、前記第１、第２の挾持片１０．１１の何れか一方にのみ設けられることもある。
【００５９】
(6) 図１７（Ａ）（Ｂ）は、前記第２の挾持片１１と前記支持バ−１５とが一連一体に構成された場合を示すものであり、前記カーテン本体２の裏面３に当接される該第２の挾持片１１に、該カーテン本体２の裏面３側で前記幅方向Ｆに延長し且つ該カーテン本体２に保持される支持バ−１５を突設した構成を有している。該第２の挾持片１１と該支持バ−１５の一連一体の連結体９１は、例えば所定長さの金属線材の一端側をＵ字状に折り返して形成してもよく、或いは、合成樹脂の射出成形によって構成してもよい。
【００６０】
このように構成された連結体９１は、前記クリップ型しわ防止装置１７を構成する。該クリップ型しわ防止装置１７を用いて、カ−テン本体２の側部分９にしわが発生するのを防止するには、図１７（Ｃ）に示すように、対向する第１、第２の挾持片１０，１１間に形成される保持溝１２に前記カーテン本体２の側部分９が挿入された状態で、前記支持バ−１５を、前記と同様構成のリング状保持部材２７や支持バー保持部材３３の保持部（例えば前記Ｃ字状保持部３２ａ）３２を用いて、カーテン本体２の裏面側３に保持させることができる。
【００６１】
(7) 前記カーテン本体２の引き上げの際に該側部分９に発生するしわを、前記クリップ型しわ防止具１と前記支持バ−１５との協働によって防止し得る限り、該第１、第２の挾持片１０，１１が該側部分９を弾性挾持することは必ずしも必要ではない。
【００６２】
(8) 前記支持バ−１５の外端側部分１６を前記第２の挾持片１１に連結する際、該外端側部分１６を前記筒体３７に圧入等により挿入した状態で、該挿入部に接着剤を介在させてもよい。
【００６３】
又該連結は、第２の挾持片１１の内方端に設けた連結突部を、該支持バ−１５の外方端に設けた挿入孔に圧入する等して挿入することもできる。この場合、該挿入部分に適宜接着剤を介在させてもよい。
【００６４】
(9) 前記クリップ型しわ防止具１の前記幅方向Ｆで見た長さや前記支持バ−１５の長さは、カーテン本体２の側部分９に発生するしわを防止できるように所要に設定されるものであり、その際、カーテン本体２が厚手のものであるか薄手のものであるかや、カーテン本体２の素材やその剛性等を考慮して適切に設定されるものである。
【００６５】
(10)前記筒体３７の挿入孔３６に前記支持バ−１５の外端側部分１６を圧入する場合、該挿入孔３６をテーパ孔として構成してもよい。
【００６６】
(11)前記クリップ型しわ防止具１と前記支持バ−１５とを前記側部分９の所定位置に取着する他の取り付け要領は、前記支持バ−１５を前記Ｃ字状保持部３２ａに嵌着した後に、前記保持溝１２に前記側部分９を挿入状態とし、その後、前記筒体３７の挿入孔３６に前記外端側部分１６を圧入してもよい等、適当に取り付ければよい。
【００６７】
(12)前記支持バ−１５をカーテン本体２に保持させる手段としては、例えば図９（Ｂ）に示すように該支持バ−１５の内端側６７の一箇所のみを前記リング状保持部材２７や前記支持バー保持部材３３で保持させる手段の他、該カーテン本体２に対する該支持バ−１５の保持をより安定化させるために、例えば図１８に示すように、間隔を置いて配置された２本のリングテープ２３，２３の、同高さ位置に設けられた保持部３２，３２（Ｃ字状保持部３２ａ等）で、該支持バ−１５が水平状態を呈する如く保持させることもできる。
【００６８】
このようにして支持バ−１５を保持部３２で保持する際、前記と同様にして、該支持バ−１５を保持している部分に接着剤を介在させることにより、該支持バー１５を該リング状保持部材２７や該支持バー保持部材３３に固定状態となし得、前記クリップ型しわ防止具１と該支持バ−１５の、前記幅方向Ｆで見た外方Ｆ１への移動を確実に阻止できることとなる。
【００６９】
(13)図１９は、前記リングテープ２３に設けられた前記リング状保持部材２７や前記支持バー保持部材３３の有する、保持部３２としての保持孔３２ｂに前記支持バ−１５を挿通させた状態で、該保持孔３２ｂから突出した支持バ−突出部分９５に抜け止め部材９６、例えば抜け止めキャップ９６ａを固定した状態を示している。このように構成するときは、該抜け止めキャップ９６ａの抜け止め作用によって、該支持バ−１５が前記幅方向Ｆで見た外方Ｆ１へ移動するのを阻止できる。該抜け止めキャップ９６ａは、例えば透明な樹脂製とする。前記支持バー１５をＣ字状保持部３２ａに嵌着させた場合にあっても、該Ｃ字状保持部３２ａから突出した支持バーの前記内端側部分６７（図１）に抜け止め部材（例えば抜け止めキャップ）を固定してよい。
【００７０】
(14)前記クリップ型しわ防止具１の保持溝１２に前記側部分９が挿入された状態において、前記第２の挾持片１１を、前記カーテン本体２に接着剤や両面粘着テープ等を用いて接着することもある。この場合、前記支持バ−１５の、前記リング状保持部材２７や前記支持バー保持部材３３で保持されている部分に接着剤を介在させてもよい。
【００７１】
このように接着剤等で接着することにより、前記クリップ型しわ防止具１と該支持バ−１５の、前記幅方向Ｆで見た外方Ｆ１への移動を確実に阻止できることとなる。これらによって、側部分９でのしわ防止の持続性を高めることができる。
【００７２】
(15)前記支持バ−１５を前記カーテン本体２の裏面３側に保持させる手段は、ピン体等の取着具を用いて該支持バ−１５をカ−テン本体２に保持させてもよい。
【００７３】
(16)本発明を応用し得る引き上げ式カーテンを構成するカーテン本体２の幅寸法は、例えば３０ｃｍ〜３００ｃｍに設定できる。
【００７４】
(17)前記支持バ−１５の長さは、前記実施例においては前記カーテン本体２の左右側部分のみに配置される比較的短い長さに設定されているが、該カーテン本体２の幅方向の略全長に亘る長さに設定されてもよい。このように構成する場合は、例えば図２０に示すように、該支持バ−１５の左右の夫々の外端側部分１６，１６が、カーテン本体２の左右の側部分９，９に対向して取着されている左右の第２の挾持片１１，１１に連結される。
【００７５】
この場合、該支持バ−１５は、前記保持溝１２，１２に前記カーテン本体２の左右の側部分９，９が挿入されて該側部分９を挾持状態にある左右のクリップ型しわ防止具１，１を、該保持溝１２から該側部分９が抜け出さないように保つ役割を果たす。即ち、このように構成する場合は、例えば図２０（Ａ）において、一方の側部分９ａに取着されているクリップ型しわ防止具１ａが該側部分９ａから外れる外方Ｆ1 に移動したときは、図２０（Ｂ）に示すように、他方の側部分９ｂの側端縁９９が前記保持溝１２の溝底１００に当接することによって、該一方のクリップ型しわ防止具１ａの前記外方Ｆ１への移動が阻止され、該クリップ型しわ防止具１ａの外れを確実に防止できる。
【００７６】
このように、左右のクリップ型しわ防止具１，１を１本の支持バー１５で連結する構成を採用する場合、例えば図２０（Ｃ）に示すように、該支持バ−１５の断面を非円形（例えば長方形状）に形成し且つ、前記筒体３７の前記挿入孔３６を該支持バー１５の外端側部分１６を挿入させ得る例えば長方形孔状に構成することとすれば、左右のクリップ型しわ防止具１，１の前記第１、第２の挾持片１０，１１、１０，１１を、カーテン本体２の表側と裏側に正しく位置させ易い。
【００７７】
クリップ型しわ防止具１と支持バー１５を前記カーテン本体２の左右の側部分９，９に対向状態に取着する場合も、これらを図９（Ｂ）に示すと同様にして、カーテン本体２を裏面側から見て前記ひだ状折り返し部６（図４）の谷部分７０と山部分７１の双方に設けたり、谷部分７０のみや山部分７１のみに設けることができる。
【００７８】
(18)図２１は、前記リング状保持部材２７が、前記コード挿通部２２と前記保持部３２を兼用する円環状部材１０１として構成されてなる場合において、前記支持バー１５の内端側部分６７を該円環状部材１０１に挿通させ、且つ、該円環状部材１０１から突出した該内端側部分６７に前記抜け止め部材９６を固定した態様を示している。
【００７９】
なおこの場合、前記円環状部材１０１を前記リング状保持部材２７に交換し、前記カーテン本体２に、クリップ型しわ防止具１と前記支持バー１５を取り付けることとしてもよい。
【００８０】
(19)前記第１、第２の挾持片１０，１１が前記側部分９を弾性的に挾持する場合、該弾性的な挾持を、バネ部材を用いて強固に行わせることもできる。
【００８１】
(20)前記支持バ−１５は、前記したグラスファイバー製とされることの他、スチール製やアルミニウム製等の金属製、樹脂製とされてもよく、又その横断面は、前記した円形状の他、楕円形状や角形状等に構成されてもよい。
【００８２】
(21)引き上げ式カーテンの出荷の際に、カーテン本体２の側部分９に前記クリップ型しわ防止装置１７が取着されているときは、しわ防止機能を有する引き上げ式カーテンとして出荷されることになる。
【００８３】
(22)前記クリップ型しわ防止具１は、所要色に着色されてもよい。
【符号の説明】
【００８４】
１  クリップ型しわ防止具
2   カ−テン本体
３  裏面
５  昇降コ−ド
６  ひだ状折り返し部
７  引き上げ式カ−テン
９  側部分
１０  第１の挾持片
１１  第２の挾持片
１５  支持バ−
１６  外端側部分
１７  クリップ型しわ防止装置
２７  リング状保持部材
３２  保持部
３３  支持バ−保持部材
３６  挿入孔
３７  筒体
４０  圧入用突条
５１  平坦面
７９  係合突部
７７  折り返し段部
８３  針状片
８６  押圧突条
９０  突部
９６  抜け止め部材
【図１】
2016135188.tif 000003
【図２】
2016135188.tif 000004
【図３】
2016135188.tif 000005
【図４】
2016135188.tif 000006
【図５】
2016135188.tif 000007
【図６】
2016135188.tif 000008
【図７】
2016135188.tif 000009
【図８】
2016135188.tif 000010
【図９】
2016135188.tif 000011
【図１０】
2016135188.tif 000012
【図１１】
2016135188.tif 000013
【図１２】
2016135188.tif 000014
【図１３】
2016135188.tif 000015
【図１４】
2016135188.tif 000016
【図１５】
2016135188.tif 000017
【図１６】
2016135188.tif 000018
【図１７】
2016135188.tif 000019
【図１８】
2016135188.tif 000020
【図１９】
2016135188.tif 000021
【図２０】
2016135188.tif 000022
【図２１】
2016135188.tif 000023
【図２２】
2016135188.tif 000024
【図２３】
2016135188.tif 000025